(57)【特許請求の範囲】
【請求項１】
室内の側壁又は天井に設置されて、前面が開放した箱状体を備え、この箱状体内に、輻射式のパネル状ヒータが設けられ、このパネル状ヒータ表面と空気層を隔てて配置され、前記箱状体の前面を開閉可能なカバー部材が設けられ、このカバー部材を開閉動作させて前記パネル状ヒータの表面を露出又は遮蔽する開閉機構が設けられ、
前記カバー部材は、折れ戸状に構成され、
前記開閉機構は、前記カバー部材の上下位置に、両端にプーリを有するシャフトがそれぞれ配置され、上下のプーリには、エンドレスベルトがそれぞれ掛け回されて、左右のエンドレスベルトにはカバー部材の上端部がそれぞれ連結され、下側のシャフトには電動モータが連結され、この電動モータでシャフトを正逆回転させることで、各プーリとエンドレスベルトを介してカバー部材を延在方向に折り畳む開き位置と、展張させる閉じ位置とに開閉駆動させるものであることを特徴とする暖房パネル装置。
【請求項２】
前記カバー部材は断熱層を備えていることを特徴とする請求項１に記載の暖房パネル装置。
【請求項３】
前記カバー部材に金属箔を設けたことを特徴とする請求項１に記載の暖房パネル装置。
【請求項４】
前記パネル状ヒータの裏面側に、蓄熱層を設けたことを特徴とする請求項１に記載の暖房パネル装置。
【請求項５】
前記パネル状ヒータの裏面側に、断熱層を設けたことを特徴とする請求項１に記載の暖房パネル装置。
【発明の詳細な説明】
【技術分野】
【０００１】
本発明は、暖房パネル装置に関する。
【背景技術】
【０００２】
従来、トイレ室、洗面・脱衣所、廊下、玄関等のように、一般的には非暖房室として扱われる場所では、ヒータユニット、ファンヒータや赤外線ストーブ、あるいは壁掛け暖房パネル等の暖房手段が用いられている（特許文献１参照）。
【０００３】
特に、トイレ室で人が暖を採るような場合には、トイレ室は在室時間が極めて短いために、人が暖かく用を足そうと思えば、常時暖房しておくか、瞬時暖房する必要がある。
【特許文献１】特開２００２−３１３６１号公報
【発明の開示】
【発明が解決しようとする課題】
【０００４】
しかしながら、常時暖房は、無駄な光熱費が増加し、瞬時暖房は、例えばセラミックファンヒータを用いれば、約１０秒以内に温風吹き付けが可能であるが、快適性は充分ではなく、またファンヒータの設置スペースが必要になるという問題があった。
【０００５】
本発明は、前記問題を解消するためになされたもので、速暖性に優れるとともに、光熱費が少なくてすみ、設置スペースも必要としない暖房パネル装置を提供することを目的とするものである。
【課題を解決するための手段】
【０００６】
前記課題を解決するために、本発明は、室内の側壁又は天井に設置されて、前面が開放した箱状体を備え、この箱状体内に、輻射式のパネル状ヒータが設けられ、このパネル状ヒータ表面と空気層を隔てて配置され、前記箱状体の前面を開閉可能なカバー部材が設けられ、このカバー部材を開閉動作させて前記パネル状ヒータの表面を露出又は遮蔽する開閉機構が設けられ、前記カバー部材は、折れ戸状に構成され、前記開閉機構は、前記カバー部材の上下位置に、両端にプーリを有するシャフトがそれぞれ配置され、上下のプーリには、エンドレスベルトがそれぞれ掛け回されて、左右のエンドレスベルトにはカバー部材の上端部がそれぞれ連結され、下側のシャフトには電動モータが連結され、この電動モータでシャフトを正逆回転させることで、各プーリとエンドレスベルトを介してカバー部材を延在方向に折り畳む開き位置と、展張させる閉じ位置とに開閉駆動させるものであることを特徴とする暖房パネル装置を提供するものである。
【０００９】
請求項２のように、前記カバー部材は断熱層を備えていることが好ましい。
【００１０】
請求項３のように、前記カバー部材に金属箔を設けることが好ましい。
【００１１】
請求項４のように、前記パネル状ヒータの裏面側に、蓄熱層を設けることが好ましい。
【００１２】
請求項５のように、前記パネル状ヒータの裏面側に、断熱層を設けることが好ましい。
【発明の効果】
【００１３】
本発明によれば、パネル状ヒータを暖房した状態で、不使用時は、パネル状ヒータの放熱側の表面をカバー部材で閉じておくことで、空気層の断熱効果によって、低出力（低ランニング）でパネル状ヒータの放熱側の表面温度を適温（例えば５０℃程度）に維持できるので、光熱費が少なくてすむようになる。
【００１４】
また、使用時は、カバー部材を開いた瞬間に、適温に維持されたパネル状ヒータの放熱側の表面が露出するから、その輻射熱によって瞬時に暖かさを感じられるので、速暖性に優れるようになる。さらに、パネル状ヒータやカバー部材は、トイレ室等の側壁や天井に設置することで、狭いトイレ室内等に設置スペースを必要としなくなる。
【００１５】
さらに、開閉機構によって折れ戸状のカバー部材を、延在方向に折り畳んだり展張させたりするだけであるから、カバー部材が室内側に突出する寸法が僅かですむようになる。
【００１７】
請求項２によれば、断熱層によって、カバー部材の断熱効果が高まるので、より低出力（低ランニング）でパネル状ヒータの放熱側の表面温度を適温に維持できるようになる。
【００１８】
請求項３によれば、放射率が小さい金属箔によって輻射熱の伝達が抑制され、カバー部材の断熱効果がより高まるので、省エネ性が一層向上するようになる。
【００１９】
請求項４によれば、パネル状ヒータの裏面側の蓄熱層（鉄板等）で、パネル状ヒータの熱を蓄積できるので、カバー部材を開いた後のパネル状ヒータの放熱側の表面温度の急激な低下が抑制されて、快適性が維持されるとともに、パネル状ヒータを高出力に制御する必要も少ないので、省エネ性が向上するようになる。
【００２０】
請求項５によれば、パネル状ヒータの裏面側の断熱層（発泡ポリスチレン等）で、断熱効果が高まるので、より低出力（低ランニング）でパネル状ヒータの放熱側の表面温度を適温に維持できるようになる。
【発明を実施するための最良の形態】
【００２１】
以下、本発明を実施するための最良の形態について、図面を参照しながら詳細に説明する。
【００２２】
図６に示すように、トイレ室１の床２には便器３が配置され、この便器３に近い側壁４には比較的大きな矩形サイズで偏平な暖房パネル装置５Ａ〜５Ｅが配置されている。各暖房パネル装置５Ａ〜５Ｅは、図１〜図５からも明らかなように、前面４０ａが開放した箱状体４０を備えている。
【００２３】
第１実施形態の暖房パネル装置５Ａは、図１に示すように、箱状体４０内にパネル状ヒータ（コードヒータ、面状発熱体、温水パイプ等）７が設けられ、このパネル状ヒータ７の放熱側の表面には、表面板〔木質材料（合板、ＭＤＦ（Ｍｅｄｉｕｍ  Ｄｅｎｓｉｔｙ  Ｆｉｂｅｒｂｏａｒｄ））、耐熱ガラス等〕８が設けられている。また、このパネル状ヒータ７の裏面には、裏面板（合板、ＭＤＦ等）９が設けられている。
【００２４】
パネル状ヒータ７の放熱側の表面である表面板８の前方には、空気層１０を隔てて、箱状体４０の前面４０ａを開閉可能なカバー部材１１Ａが設けられている。
【００２５】
カバー部材１１Ａは、薄い樹脂製または金属製であって、折れ戸状に構成され、図１（ｂ）のように、延在方向である下方向に折り畳んだり、図１（ａ）のように、上方向に展張させることができるようになっている。
【００２６】
カバー部材１１Ａは、図１（ｂ）のように折り畳んだ時は、パネル状ヒータ７の放熱側の表面を露出させる開き位置Ｏとなり、図１（ａ）のように展張させた時は、パネル状ヒータ７の放熱側の表面を覆う閉じ位置Ｃとなるように開閉できるようになっている。
【００２７】
図１（ｃ）に示すように、カバー部材１１Ａを開閉させる開閉機構１３Ａは、カバー部材１１Ａの上下位置に、両端にプーリ１４を有するシャフト１５がそれぞれ配置され、上下のプーリ１４には、エンドレスベルト１６がそれぞれ掛け回されて、左右のエンドレスベルト１６にはカバー部材１１Ａの上端部がそれぞれ連結されている。
【００２８】
そして、一方（下側）のシャフト１５には電動モータ１７が連結され、この電動モータ１７でシャフト１５を正逆回転させることで、同期回転する各プーリ１４とエンドレスベルト１６を介してカバー部材１１Ａが開閉駆動されるようになる。
【００２９】
このカバー部材１１Ａの開閉駆動は、電動モータ１７を用いる場合には、スイッチ操作で行うことができ、好ましくは、人体検知センサー１８を設置して、入室と同時にカバー部材１１Ａを開き、退室と同時にカバー部材１１Ａを閉じるように制御回路１９で制御すれば、利便性が向上するようになる。なお、手動ハンドルの操作でも可能である。
【００３０】
第１実施形態の暖房パネル装置５Ａであれば、図１（ａ）の不使用時には、パネル状ヒータ７を常時暖房した状態で、パネル状ヒータ７の放熱側の表面を展張させたカバー部材１１Ａで閉じておくことで（閉じ位置Ｃ）、空気層１０の断熱効果によって、低出力（低ランニング）でパネル状ヒータ７の放熱側の表面温度を適温（例えば５０℃程度）に維持できるので、光熱費が少なくてすむようになる。
【００３１】
そして、図１（ｂ）の使用時には、カバー部材１１Ａを開くことで（開き位置Ｏ）、カバー部材１１Ａを開いた瞬間に、適温に維持されたパネル状ヒータ７の放熱側の表面が露出するから、その輻射熱によって瞬時に暖かさを感じられるので、速暖性に優れるようになる。なお、カバー部材１１Ａを開いて閉じるまでの間は、パネル状ヒータ７の放熱側の表面温度を適温に維持するためには、パネル状ヒータ７を高出力で運転することが好ましい。
【００３２】
また、パネル状ヒータ７やカバー部材１１Ａは、トイレ室１の側壁４に設置することで、狭いトイレ室１内に設置スペースを必要としなくなる。
【００３３】
さらに、開閉機構１３Ａによって折れ戸状のカバー部材１１Ａを、延在方向に折り畳んだり展張させたりするだけであるから、カバー部材１１Ａが室内側に突出する寸法が僅かですむようになる。
【００３４】
図２は、第２実施形態の暖房パネル装置５Ｂであり、第１実施形態の暖房パネル装置５Ａと相違するのは、カバー部材１１Ｂが回動可能な羽根片を並設したブラインド状に構成されている点であり、複数枚（本例では６枚）の羽根片は、各支軸１１ａを中心にして、図２（ｂ）のように、一方向回り（右回り）に回動させたり、図２（ａ）のように、他方向回り（左回り）に回動させることができるようになっている。
【００３５】
カバー部材１１Ｂは、図２（ｂ）の使用時のように、一方向回り（右回り）に回動させた時は、パネル状ヒータ７の放熱側の表面を露出させる開き位置Ｏとなり、図２（ａ）の不使用時のように、他方向回り（左回り）に回動させた時は、パネル状ヒータ７の放熱側の表面を覆う閉じ位置Ｃとなるように開閉できるようになっている。
【００３６】
図２（ｃ）に示すように、カバー部材１１Ｂを開閉させる開閉機構１３Ｂは、カバー部材１１Ａの各支軸１１ａに、リンクアーム２１がそれぞれ固定され、各リンクアーム２１にリンクレバー２２が連結されている。
【００３７】
そして、リンクレバー２２には電動モータ１７の偏心カム２３が連結され、この偏心カム２３を正逆回転させることで、リンクレバー２２とリンクアーム２１を介して各カバー部材１１Ｂが同時に開閉駆動されるようになる。
【００３８】
第２実施形態の暖房パネル装置５Ｂであれば、開閉機構１３Ｂによって回転ブラインド状のカバー部材１１Ｂの羽根片を、一方向回りに回動させたり他方向回りに回動させたりするだけであるから、カバー部材１１Ｂが室内側に突出する寸法が僅かですむようになる。
【００３９】
図３は、第３実施形態の暖房パネル装置５Ｃであり、第２実施形態の暖房パネル装置５Ｂと相違するのは、カバー部材１１Ｂの裏面側に断熱層（発泡ポリスチレン、発泡ポリエチレン、ウレタン、真空断熱材等）２６を備えた点である。なお、第１実施形態の暖房パネル装置５Ａのカバー部材１１Ａの裏面側に断熱層２６を備えることも可能である。
【００４０】
第３実施形態の暖房パネル装置５Ｃであれば、断熱層２６によって、カバー部材１１Ｂの断熱効果が高まるので、より低出力（低ランニング）でパネル状ヒータ７の放熱側の表面温度を適温に維持できるようになる。
【００４１】
図４は、第４実施形態の暖房パネル装置５Ｄであり、第３実施形態の暖房パネル装置５Ｃと相違するのは、カバー部材１１Ｂの断熱層２６の裏面に金属箔（アルミ箔等）２７を設けた点である。なお、第１実施形態の暖房パネル装置５Ａのカバー部材１１Ａの断熱層２６の裏面に金属箔２７を設けることも可能ある。また、カバー部材１１Ａ、１１Ｂに断熱層２６を設けずに、カバー部材１１Ａ、１１Ｂの裏面に金属箔２７を直に設けることも可能である。
【００４２】
第４実施形態の暖房パネル装置５Ｄであれば、放射率が小さい金属箔２７によって輻射熱〔図４（ａ）の矢印参照〕の伝達が抑制され、カバー部材１１Ｂの断熱効果がより高まるので、省エネ性が一層向上するようになる。
【００４３】
図５は、第５実施形態の暖房パネル装置５Ｅであり、第３実施形態の暖房パネル装置５Ｃと相違するのは、パネル状ヒータ７の裏面側に、蓄熱層（鉄板やコンクリート等…比熱若しくは密度が大）２８を設けた点である。なお、第１実施形態の暖房パネル装置５Ａのパネル状ヒータ７の裏面側に、裏面板９に代えて、蓄熱層２８を設けることも可能である。
【００４４】
第５実施形態の暖房パネル装置５Ｅであれば、パネル状ヒータ７の裏面側の蓄熱層２８で、パネル状ヒータ７の熱を蓄積できるので、カバー部材１１Ｂを開いた後のパネル状ヒータ７の放熱側の表面温度の急激な低下が抑制されて、快適性が維持されるとともに、パネル状ヒータ７を高出力に制御する必要も少ないので、省エネ性が向上するようになる。
【００４５】
図５の第５実施形態の暖房パネル装置５Ｅにおいて、蓄熱層２８の裏面側に、さらに断熱層（発泡ポリスチレン、発泡ポリエチレン、ウレタン、真空断熱材、グラスウール等）２９を設けることができる。この断熱層２９は、蓄熱層２８の裏面側に設けたが、蓄熱層２８に代えて、パネル状ヒータ７の裏面側に設けることも可能である。なお、第１実施形態の暖房パネル装置５Ａのパネル状ヒータ７の裏面側に、裏面板９に代えて、または裏面板９の裏面側に断熱層２９を設けることも可能である。
【００４６】
第５実施形態の暖房パネル装置５Ｅの変形例であれば、パネル状ヒータ７の裏面側の断熱層２９で、断熱効果が高まるので、より低出力（低ランニング）でパネル状ヒータ７の放熱側の表面温度を適温に維持できるようになる。
【００４７】
前記各実施形態は、トイレ室１の側壁４に暖房パネル装置５Ａ〜５Ｅを配置したものであったが、洗面・脱衣所、廊下、玄関等のように、一般的には非暖房室として扱われる場所の側壁であっても良い。また、配置位置は側壁に限らず、天井であっても良い。
【００４８】
さらに、図５では、暖房パネル装置５Ａ〜５Ｅが側壁４から室内方向に突出するように描かれているが、側壁（若しくは天井）４内に埋め込んで、フラットにすることもできる。
【図面の簡単な説明】
【００４９】
【図１】本発明の第１実施形態の暖房パネル装置であり、（ａ）は不使用時の要部断面図、（ｂ）は使用時の要部断面図、（ｃ）は開閉機構との関係を示す正面図である。
【図２】本発明の第２実施形態の暖房パネル装置であり、（ａ）は不使用時の要部断面図、（ｂ）は使用時の要部断面図、（ｃ）は開閉機構との関係を示す正面図である。
【図３】本発明の第３実施形態の暖房パネル装置であり、（ａ）は不使用時の要部断面図、（ｂ）は使用時の要部断面図である。
【図４】本発明の第４実施形態の暖房パネル装置であり、（ａ）は不使用時の要部断面図、（ｂ）は使用時の要部断面図である。
【図５】本発明の第５実施形態の暖房パネル装置であり、（ａ）は不使用時の要部断面図、（ｂ）は使用時の要部断面図である。
【図６】本発明の暖房パネル装置を配置したトイレ室の斜視図である。
【符号の説明】
【００５０】
１    トイレ室
４    側壁
５Ａ〜５Ｅ  暖房パネル装置
７    パネル状ヒータ
８    表面板
９    裏面板
１０  空気層
１１Ａ，１１Ｂ  カバー部材
１３Ａ，１３Ｂ  開閉機構
２６  断熱層
２７  金属箔
２８  蓄熱層
２９  断熱層
Ｃ    閉じ位置
Ｏ    開き位置
【図１】
0005074900.tif 000002
【図２】
0005074900.tif 000003
【図３】
0005074900.tif 000004
【図４】
0005074900.tif 000005
【図５】
0005074900.tif 000006
【図６】
0005074900.tif 000007